(57)【要約】【課題】３ビーム法あるいはＤＰＰ法によるトラッキングエラー信号検出方式を採用することができ、高光利用効率であって、かつ小型を可能にする。【解決手段】半導体レーザ１から出射して直線偏光となっている光束は、入射する光束を分割する回折格子１３と、入射する光束の偏光方向に回折効率が依存する偏光性回折格子１０とを含む光学素子２を通過し、カップリングレンズ３に入射する。カップリングされた光束は１／４波長板４を透過して円偏光とされ、対物レンズ５により集光光束となって、情報記録媒体６上の記録面に光スポットとして集光する。また記録面からの反射光束は、対物レンズ５と１／４波長板４を透過して、往路とは直交する方向の直線偏光とされて、カップリングレンズ３を透過して集光光束となった後、光学素子２の偏光性回折格子１０で回折されて受光素子７に入射する。【選択図】    図１
2004185725.tif 000002
【特許請求の範囲】
【請求項１】
光源からの光束を第１の回折格子により分割して情報記録媒体上の記録面に照射し、該記録面からの反射光束を、入射する光束の偏光方向に回折効率が依存する第２の偏光性回折格子を用いて受光素子に導き、各種信号を検出することにより、前記情報記録媒体に対する情報の記録，再生あるいは消去のうちの少なくとも１つを行う光ピックアップ装置であって、前記第２の偏光性回折格子を第１の透明基板と第２の透明基板とにより挟持して偏光性回折素子を構成し、前記第１の回折格子を第３の透明基板上に設け、前記偏光性回折素子と前記第３の透明基板とを一体化したことを特徴とする光ピックアップ装置。
【請求項２】
前記第３の透明基板を、前記偏光性回折素子より光源側に配置して一体化したことを特徴とする請求項１記載の光ピックアップ装置。
【請求項３】
前記第１の回折格子を、前記第３の透明基板における光源側の面に設けたことを特徴とする請求項１または２記載の光ピックアップ装置。
【請求項４】
前記第１の回折格子が、入射する光束の偏光方向に回折効率が依存する偏光性回折格子であることを特徴とする請求項１または３記載の光ピックアップ装置。
【請求項５】
光源からの光束を第１の回折格子により分割して情報記録媒体上の記録面に照射し、該記録面からの反射光束を、入射する光束の偏光方向に回折効率が依存する第２の偏光性回折格子を用いて受光素子に導き、各種信号を検出することにより、前記情報記録媒体に対する情報の記録，再生あるいは消去のうちの少なくとも１つを行う光ピックアップ装置であって、前記第２の偏光性回折格子を第１の透明基板と第２の透明基板とにより挟持して偏光性回折素子を構成し、前記第１の回折格子を前記第１の透明基板または第２の透明基板上に設けたことを特徴とする光ピックアップ装置。
【請求項６】
前記第１の回折格子が設けられた一方の透明基板を、他方の透明基板より光源側に配置したことを特徴とする請求項５記載の光ピックアップ装置。
【請求項７】
前記第１の回折格子を、透明基板における光源側の面に設けたことを特徴とする請求項５または６記載の光ピックアップ装置。
【請求項８】
前記第１の回折格子が、入射する光束の偏光方向に回折効率が依存する偏光性回折格子であることを特徴とする請求項５〜７いずれか１項記載の光ピックアップ装置。
【請求項９】
前記光源と前記受光素子とを同一パッケージ内に実装し、前記第１の回折格子と前記第２の偏光性回折格子とを一体化した素子を前記パッケージ上に装着したことを特徴とする請求項１記載の光ピックアップ装置。
【請求項１０】
光ピックアップ装置が設置され、情報記録媒体に対して情報の記録，再生あるいは消去のうちの少なくとも１つを行う光ディスクドライブ装置であって、請求項１〜９いずれか１項記載の光ピックアップ装置と、該光ピックアップ装置からの出力信号を用いて前記情報の記録，再生あるいは消去のうちの少なくとも１つを行う処理部とを備えたことを特徴とする光ディスクドライブ装置。
【発明の詳細な説明】
【０００１】
【発明の属する技術分野】
本発明は、偏光性回折格子を用いた光ピックアップ装置、およびその光ピックアップ装置を搭載した光ディスクドライブ装置に関する。
【０００２】
【従来の技術】
一般的に、ＣＤ用光ピックアップ装置では情報記録媒体であるＣＤへの照射光量は少なくてもよいが、書換型の光ディスク用の光ピックアップ装置では光ディスクに多くの光量を照射しなくてはならない。さらに書換型の光ディスクはＣＤに比べて反射率が低いため、受光素子に入る信号光量が少なくなる。そのため、書換型の光ディスク用の光ピックアップ装置に用いる回折格子には、光源からの光束をより多く透過し、光ディスクからの反射光束をより多く回折して受光素子に導くことができる構成であることが望まれる。
【０００３】
そこで、回折効率が偏光方向に依存する偏光性回折格子を使うことにより、書換型の光ディスク用の光ピックアップ装置に適した構成にすることができる。特許文献１，特許文献２には、そのような偏光性回折格子の構成が記載されており、特に特許文献２においては、その偏光性回折格子を用いた高光利用効率の光ピックアップ装置の構成が記載されている。
【０００４】
【特許文献１】
特許第２５９４５４８号公報
【特許文献２】
特開平１０−３０２２９１号公報
【０００５】
【発明が解決しようとする課題】
一方、近年ではＤＶＤなどの書込系の光ディスクに対するトラッキングエラー信号の検出方法として、対物レンズのシフトあるいはディスクチルトなどによるオフセットに対する対応性に優れているＤＰＰ（差動プッシュプル）法が採用されることが多い。ＤＰＰ法を採用するには、光ディスクからの反射光束を受光素子に導くための前記偏光性回折格子とは別に、光源からの光束を分割する回折格子を往路の光路中に配置しなければならない。ＤＰＰ法以外のトラッキングエラー信号検出方式として３ビーム法を採用する場合も同様である。
【０００６】
本発明は、前記従来の課題に鑑み、３ビーム法あるいはＤＰＰ法によるトラッキングエラー信号検出方式を採用することができ、かつ高光利用効率で、かつ小型の光ピックアップ装置、および、その光ピックアップ装置を搭載した光ディスクドライブ装置を提供することを目的とする。
【０００７】
【課題を解決するための手段】
前記目的を達成するため、請求項１に記載の発明は、光源からの光束を第１の回折格子により分割して情報記録媒体上の記録面に照射し、該記録面からの反射光束を、入射する光束の偏光方向に回折効率が依存する第２の偏光性回折格子を用いて受光素子に導き、各種信号を検出することにより、前記情報記録媒体に対する情報の記録，再生あるいは消去のうちの少なくとも１つを行う光ピックアップ装置であって、前記第２の偏光性回折格子を第１の透明基板と第２の透明基板とにより挟持して偏光性回折素子を構成し、前記第１の回折格子を第３の透明基板上に設け、前記偏光性回折素子と前記第３の透明基板とを一体化したことを特徴とし、この構成によって、対物レンズシフトあるいは情報記録媒体のチルトなどによるオフセットに優れた対応性を有するＤＰＰ法あるいは３ビーム法によるトラッキングエラー信号検出方式を採用することができるため、高品質のトラッキングエラー信号が得られ、高光利用効率であり、しかも光源からの光束を分割する第１の回折格子と情報記録媒体からの反射光束を受光素子に導く第２の偏光性回折格子を一体的に構成したことにより小型の光ピックアップ装置を実現でき、さらに第２の偏光性回折格子は２枚の透明基板で挟持されるため、耐環境性（温度，湿度）あるいは外部からの機械的圧力などに対する耐久性に優れた構造となる。
【０００８】
請求項２に記載の発明は、請求項１記載の光ピックアップ装置において、第３の透明基板を、偏光性回折素子より光源側に配置して一体化したことを特徴とし、この構成によって、第２の偏光性回折格子における回折角、すなわち格子ピッチを適当に設計することにより、記録面からの反射光束が第１の回折格子で回折されて余分な回折光が生じないようにすることが可能となり、高光利用効率の光ピックアップ装置が実現する。
【０００９】
請求項３に記載の発明は、請求項１または２記載の光ピックアップ装置において、第１の回折格子を、第３の透明基板における光源側の面に設けたことを特徴とし、この構成によって、第２の偏光性回折格子と第１の回折格子との距離を確保することができるため、記録面からの反射光束が第１の回折格子を通過しないようにするための第２の偏光性回折格子における回折角を比較的小さくすることが可能となり、格子ピッチを緩くすることができるため第２の偏光性回折格子の加工性が向上する。
【００１０】
請求項４に記載の発明は、請求項１または３記載の光ピックアップ装置において、第１の回折格子が、入射する光束の偏光方向に回折効率が依存する偏光性回折格子であることを特徴とし、この構成によって、記録面からの反射光束が第１の回折格子を通過しても回折光が生じないようにすることが可能となるため、第２の偏光性回折格子における回折角を自由に設計することが可能になり、また第２の偏光性回折格子と第１の回折格子との距離を確保する必要がなくなるため薄型化を図ることができ、光ピックアップ装置の小型化が実現する。
【００１１】
請求項５に記載の発明は、光源からの光束を第１の回折格子により分割して情報記録媒体上の記録面に照射し、該記録面からの反射光束を、入射する光束の偏光方向に回折効率が依存する第２の偏光性回折格子を用いて受光素子に導き、各種信号を検出することにより、前記情報記録媒体に対する情報の記録，再生あるいは消去のうちの少なくとも１つを行う光ピックアップ装置であって、前記第２の偏光性回折格子を第１の透明基板と第２の透明基板とにより挟持して偏光性回折素子を構成し、前記第１の回折格子を前記第１の透明基板または第２の透明基板上に設けたことを特徴とし、この構成によって、対物レンズシフトあるいは情報記録媒体のチルトなどによるオフセットに優れた対応性を有するＤＰＰ法あるいは３ビーム法によるトラッキングエラー信号検出方式を採用することができるため高品質のトラッキングエラー信号が得られ、かつ高光利用効率であり、しかも光源からの光束を分割する第１の回折格子と情報記録媒体からの反射光束を受光素子に導く第２の偏光性回折格子とを一体的に構成したことにより小型の光ピックアップ装置を実現できる。さらに第２の偏光性回折格子は２枚の透明基板により挟持されるため、耐環境性（温度，湿度）あるいは外部からの機械的圧力などに対する耐久性に優れた構造となる。さらにまた、請求項１に記載の発明と比べて透明基板を１枚削減することができるため、低コスト化が可能となる。
【００１２】
請求項６に記載の発明は、請求項５記載の光ピックアップ装置において、第１の回折格子が設けられた一方の透明基板を、他方の透明基板より光源側に配置したことを特徴とし、この構成によって、第２の偏光性回折格子における回折角、すなわち格子ピッチを適当に設計することにより、記録面からの反射光束が第１の回折格子で回折されて余分な回折光が生じないようにすることが可能となり、高光利用効率の光ピックアップ装置が実現する。
【００１３】
請求項７に記載の発明は、請求項５または６記載の光ピックアップ装置において、第１の回折格子を、透明基板における光源側の面に設けたことを特徴とし、この構成によって、第２の偏光性回折格子と第１の回折格子との距離を確保することができるため、記録面からの反射光束が第１の回折格子を通過しないようにするための第２の偏光性回折格子における回折角を比較的小さくすることが可能となり、格子ピッチを緩くできるため、第２の偏光性回折格子の加工性が向上する。
【００１４】
請求項８に記載の発明は、請求項５〜７いずれか１項記載の光ピックアップ装置において、第１の回折格子が、入射する光束の偏光方向に回折効率が依存する偏光性回折格子であることを特徴とし、この構成によって、記録面からの反射光束が第１の回折格子を通過しても回折光が生じないようにすることが可能となるため、第２の偏光性回折格子における回折角を自由に設計することが可能になり、また第２の偏光性回折格子と第１の回折格子との距離を確保する必要がないため薄型化を図ることができ、光ピックアップ装置の小型化が実現する。
【００１５】
請求項９に記載の発明は、請求項１記載の光ピックアップ装置において、光源と受光素子とを同一パッケージ内に実装し、第１の回折格子と第２の偏光性回折格子とを一体化した素子を前記パッケージ上に装着したことを特徴とし、この構成によって、光ピックアップ装置に組付ける前に別の光学系でパッケージ上に組付け、ユニットとして完成させておくことにより、光ピックアップ装置に対して組付けを行う際の組付時間が短縮され、調整も簡単になり、さらに光ピックアップ装置の小型化が実現する。
【００１６】
請求項１０に記載の発明は、光ピックアップ装置が設置され、情報記録媒体に対して情報の記録，再生あるいは消去のうちの少なくとも１つを行う光ディスクドライブ装置であって、請求項１〜９いずれか１項記載の光ピックアップ装置と、該光ピックアップ装置からの出力信号を用いて前記情報の記録，再生あるいは消去のうちの少なくとも１つを行う処理部とを備えたことを特徴とし、この構成によって、信頼性の高いトラッキングサーボ制御を実現でき、かつ高倍速化に対応でき、かつ小型化が実現する。
【００１７】
【発明の実施の形態】
以下、本発明の実施形態を図面に基づいて説明する。
【００１８】
図１は本発明の実施形態１の光ピックアップ装置における光学系の概略構成図であり、図１において、光源としての半導体レーザ１から出射された直線偏光となっている光束（図では光軸のみを矢示している）は、後で詳述するように入射する光束を分割する回折格子１３と、入射する光束の偏光方向に回折効率が依存する偏光性回折格子１０とを含む光学素子２を通過し、カップリングレンズ３に入射して以降の光学系にカップリングされる。カップリングされた光束は１／４波長板４を透過して円偏光とされ、対物レンズ５により集光光束となって、光ディスクなどの情報記録媒体６上の記録面に光スポットとして集光する。
【００１９】
また記録面からの反射光束は、反射する以前とは逆回りの円偏光とされた戻り光束となって、対物レンズ５を透過し、１／４波長板４を透過して往路とは直交する方向の直線偏光とされ、カップリングレンズ３を透過して集光光束となった後、光学素子２に含まれる入射する光束の偏光方向に回折効率が依存する偏光性回折格子１０で回折されて受光素子７に入射し、受光素子７において信号検出がなされる。
【００２０】
図２は前記光学素子に含まれる偏光性回折格子を光束が通過する際の状況を示した説明図である。図２に示すように、偏光性回折格子１０はｘ方向の直線偏光は透過するが、ｙ方向の直線偏光については回折される。なお、偏光性回折格子１０の構成によっては、ｘ方向の直線偏光を回折し、ｙ方向の直線偏光を透過させることもできる。図１の光学系においては、この原理を用いて、往路では光束を余分に回折させずに透過させ、復路でのみ光束を回折させるようにしており、これによって光利用効率を高めることができる。
【００２１】
図３（ａ），（ｂ）は、図２に示した偏光性回折格子と、トラッキングエラー信号検出方法としてＤＰＰ法あるいは３ビーム法を用いるために光源からの光束を分割する回折格子とを含む前記光学素子の構成を示す概略図である。
【００２２】
図３（ａ），（ｂ）に示すように光学素子２は、２枚の透明基板９，１１に偏光性回折格子１０が挟持された偏光性回折素子８と、回折格子１３が片面に形成された透明基板１２とが接着されて一体化された構成となっており、往路においては、図３（ａ）に示すように、回折格子１３で光源からの光束Ｌｆを分割し、復路においては、図３（ｂ）に示すように、偏光性回折格子１０で記録面からの反射光束Ｌｂを回折する。
【００２３】
このような構成の光学素子２を光ピックアップ装置に搭載することにより、対物レンズ５のシフトあるいは情報記録媒体６のチルトなどによるオフセットに対する対応性に優れたＤＰＰ法あるいは３ビーム法によるトラッキングエラー信号検出方式を採用することができることになり、高品質のトラッキングエラー信号が得られ、かつ高光利用効率で、かつ小型の光ピックアップ装置を実現することができる。また偏光性回折格子１０は透明基板９，１１により挟持されているため、耐環境性（温度、湿度）に優れ、外部からの機械的圧力などに対して強い構造になる。
【００２４】
なお、光学素子２は復路の効率を考慮すると、記録面からの反射光束Ｌｂが回折格子１３を通過して余分な回折光が出ないような構成にするのが望ましい。したがって、回折格子１３が片面に形成された透明基板１２を偏光性回折素子８よりも光源側に配置し、偏光性回折格子１０における回折角を適当に設計することにより、記録面からの反射光束が回折格子１３を通過しないようにすることがよい。しかし、その際、偏光性回折格子１０の加工性を考慮すると格子ピッチは緩い方が望ましく、したがって、偏光性回折格子１０における回折角はなるべく小さい方が好ましい。そこで、偏光性回折格子１０と回折格子１３との距離を確保するために回折格子１３は透明基板１２における光源側の面に形成することがよい。図３（ａ），（ｂ）に示した光学素子２の構成は以上の点を考慮した構成となっている。
【００２５】
また、回折格子１３を、入射する光束の偏光方向に回折効率が依存する偏光性回折格子とすることもできる。すなわち、図２に示した偏光性回折格子１０とは逆にｘ方向の直線偏光を回折し、ｙ方向の直線偏光を透過させる構成とすることにより、図４に示すように記録面からの反射光束Ｌｂが回折格子１３を通過しても余分な回折光が出ないようにすることが可能となる。この場合、回折格子１３が片面に形成された透明基板１２は偏光性回折素子８よりも光記録媒体側に配置してもよいし、回折格子１３も透明基板１２における光記録媒体側の面に形成してもよい。
【００２６】
ただし、偏光性回折格子の耐環境性などを考慮すると、透明基板で挟持されるような構成とするのが望ましい。いずれにせよ、偏光性回折格子１０における回折角は自由に設計することができ、また、偏光性回折格子１０と回折格子１３との距離を確保する必要がないため、光学素子２を薄型化することが可能になる。
【００２７】
本発明の実施形態２を図５，図６に基づいて説明する。
【００２８】
図５（ａ），（ｂ）は、図２に示した偏光性回折格子１０と、トラッキングエラー信号検出方式としてＤＰＰ法あるいは３ビーム法を用いるために光源からの光束を分割する回折格子１３とを含む実施形態２の光ピックアップ装置における光学素子２’の構成を示す概略図である。
【００２９】
図５（ａ），（ｂ）に示すように光学素子２’は、２枚の透明基板１４，１５に偏光性回折格子１０が挟持され、さらに回折格子１３が透明基板１５の片面に形成されて一体化された構成となっており、往路においては、図５（ａ）に示すように、回折格子１３で光源からの光束Ｌｆを分割し、復路においては、図５（ｂ）に示すように、偏光性回折格子１０で記録面からの反射光束Ｌｂを回折する。
【００３０】
このような構成の光学素子２’を光ピックアップ装置に搭載することにより、対物レンズ５のシフトあるいは情報記録媒体６のチルトなどによるオフセットに対する対応性に優れたＤＰＰ法あるいは３ビーム法によるトラッキングエラー信号検出方式を採用することができることになり、高品質のトラッキングエラー信号が得られ、かつ高光利用効率で、かつ小型の光ピックアップ装置を実現することができる。また偏光性回折格子１０は透明基板１４，１５により挟持されているため、耐環境性（温度、湿度）に優れ、外部からの機械的圧力などに強い構造になる。さらに、実施形態１と比べて透明基板を１枚削減することができるため、低コスト化が可能となる。
【００３１】
なお、実施形態１と同様に光学素子２’は復路の効率を考慮すると、記録面からの反射光束Ｌｂが回折格子１３を通過して余分な回折光が出ないような構成にするのが望ましい。したがって、回折格子１３は偏光性回折格子１０よりも光源側に配置される透明基板１５に形成し、偏光性回折格子１０における回折角を適当に設計することにより、記録面からの反射光束Ｌｂが回折格子１３を通過しないようにすることがよい。しかし、その際、偏光性回折格子１０の加工性を考慮すると格子ピッチは緩い方が望ましく、したがって、偏光性回折格子１０における回折角はなるべく小さい方が好ましい。そこで、偏光性回折格子１０と回折格子１３との距離を確保するために、回折格子１３は透明基板１５における光源側の面に形成するのがよい。図５（ａ），（ｂ）に示した光学素子２’の構成は以上の点を考慮した構成となっている。
【００３２】
また、回折格子１３を、入射する光束の偏光方向に回折効率が依存する偏光性回折格子とすることもできる。すなわち、図２に示した偏光性回折格子１０とは逆にｘ方向の直線偏光を回折し、ｙ方向の直線偏光を透過させる構成とすることにより、図６に示すように記録面からの反射光束Ｌｂが回折格子１３を通過しても余分な回折光が出ないようにすることが可能となる。この場合、回折格子１３は、偏光性回折格子１０よりも光記録媒体側に配置される透明基板１４に形成してもよいし、偏光性回折格子１０よりも光源側に配置される透明基板１５における光記録媒体側の面に形成してもよい。
【００３３】
ただし、偏光性回折格子の耐環境性などを考慮すると、透明基板で挟持されるような構成とすることが望ましい。いずれにせよ、偏光性回折格子１０における回折角は自由に設計することができ、また、偏光性回折格子１０と回折格子１３との距離を確保する必要がないため、光学素子２’を薄型化することができる。
【００３４】
本発明の実施形態３を図７，図８に基づいて説明する。
【００３５】
図７は実施形態３の光ピックアップ装置における光学系の概略図、図８は図７におけるユニットの拡大図であって、図７に示す光ピックアップ装置の光学系における基本構成は、図１に示す実施形態の構成と同じであるが、図８に示すように、光源１と受光素子７とを同じパッケージ１６内に実装し、かつ実施形態２における光学素子２’を前記パッケージ１６上に装着して一体化した点が前記実施形態と異なる。なお、図中の２０は、光束がパッケージ１６から入出射する部位に設けられたウインドウガラスである。
【００３６】
このように、パッケージ１６に各部材を設置してユニット化することにより、光ピックアップ装置の組付けを行う際に、光源１，受光素子７，光学素子２’が一体化されているため、組付け時間が短縮され、調整も簡単になり、光ピックアップ装置の小型化が可能になる。
【００３７】
すなわち、光学素子２’は、光学素子２’に含まれる偏光性回折格子１０で回折された光束が受光素子７上の所望の位置で受光されるように面内調整が必要であるが、光ピックアップ装置に組付ける前に別の光学系でパッケージ１６上に組付け、ユニットとして完成させておくことができる。また、回折格子１３は回転調整が必要であるが、ユニットを光ピックアップ装置に組付ける際にユニットと一体で回転調整すればよい。
【００３８】
以上のような各実施形態における光ピックアップ装置と、対物レンズ駆動装置と、光ピックアップ装置をディスク径方向に駆動するピックアップ駆動装置と、光ディスク回転駆動装置などを備え、前記光ピックアップ装置からの出力信号を用いて、情報の記録，再生あるいは消去のうちの少なくとも１つを行う処理装置を備えた光ディスクドライブ装置にあっては、対物レンズ５のシフトあるいは情報記録媒体６のチルトなどによるオフセットに対する対応性に優れたＤＰＰ法あるいは３ビーム法によるトラッキングエラー信号検出方式を採用することができることになり、高品質のトラッキングエラー信号が得られ、かつ高光利用効率で、小型の光ピックアップ装置を搭載することになるため、信頼性の高いトラッキングサーボ制御を実現することができ、さらにサーボ制御の高倍速化に対応でき、かつ小型化が実現する。
【００３９】
【発明の効果】
以上説明したように、本発明に係る光ピックアップ装置によれば、対物レンズのシフト、あるいは情報記録媒体のチルトなどによるオフセットの対応性に優れたＤＰＰ法、あるいは３ビーム法によるトラッキングエラー信号検出方式を採用することができるため、高品質のトラッキングエラー信号が得られ、かつ高光利用効率で、かつ光源からの光束を分割する回折格子と情報記録媒体からの反射光束を受光素子に導く偏光性回折格子を一体的に構成したことにより、小型の光ピックアップ装置を実現することができ、また偏光性回折格子は２枚の透明基板により挟持されているため、耐環境性（温度，湿度）、あるいは外部からの機械的圧力などに対する耐久性に優れる。
【００４０】
また、本発明に係る光ディスクドライブ装置によれば、信頼性の高いトラックサーボ制御を実現でき、かつ高倍速化に対応でき、しかも小型化を実現することができる。
【図面の簡単な説明】
【図１】本発明の実施形態１の光ピックアップ装置における光学系の概略構成図
【図２】実施形態１における光学素子に含まれる偏光性回折格子を光束が通過する際の状況を示した説明図
【図３】実施形態１における偏光性回折格子と回折格子とを含む光学素子の概略構成図
【図４】実施形態１における他の回折格子の概略構成図
【図５】本発明の実施形態２の光ピックアップ装置における光学素子の概略構成図
【図６】実施形態２における他の回折格子の概略構成図
【図７】本発明の実施形態３の光ピックアップ装置における光学系の概略構成図
【図８】実施形態３におけるユニットの拡大図
【符号の説明】
１  半導体レーザ
２  光学素子
３  カップリングレンズ
４  １／４波長板
５  対物レンズ
６  情報記録媒体
７  受光素子
８  偏光性回折素子
９，１１，１２，１４，１５  透明基板
１０  偏光性回折格子
１３  回折格子
【図１】
2004185725.tif 000003
【図２】
2004185725.tif 000004
【図３】
2004185725.tif 000005
【図４】
2004185725.tif 000006
【図５】
2004185725.tif 000007
【図６】
2004185725.tif 000008
【図７】
2004185725.tif 000009
【図８】
2004185725.tif 000010